(57)【要約】      （修正有）【課題】タッチセンサー付属プロジェクターの横移動が可能で所望の位置に容易に移動でき且つタッチセンサーの脱着が可能なタッチセンサー付プロジェクター設置装置を提供する。【解決手段】プレート取付部1は、壁掛け金具1４が取付け可能な大きさ且つ任意の形状で構成され、適宜位置に取付け孔及び略中央に配線孔を穿孔し、プレート取付部１の背面に複数の駆動部４を取付け、プレート取付部１の下部に、左右側面に伸縮孔６を設け、Ｃ型に形成された伸縮枠部５を取付け、伸縮枠部５の前方側から内側に沿って伸縮部７を挿入し、伸縮枠部５側から伸縮孔６を介して固定ネジ８を取付け、任意の形状に形成された支持部９を、伸縮部７の前面端部に取付け、支持部９の下部にセンサー取付部１１を取付け、センサー取付部１１の前面中央に棒材が挿入できる脱着部１２を設ける。【選択図】図４
2016218158.tif 000002
【特許請求の範囲】
【請求項１】
プレート取付部は、壁掛け金具が取付け可能な大きさ且つ任意の形状で構成され、適宜位置に複数の取付け孔を穿孔し、前期プレート取付部の略中央に配線孔を穿孔し、前記プレート取付部の背面に複数の駆動部を取付け、前記プレート取付部の下部に、左右側面に伸縮孔を設けた伸縮枠部を取付け、前記伸縮枠部の前方側から内側に沿って伸縮部を挿入し、前記伸縮枠部側から前記伸縮孔を介して固定ネジを取付け、任意の形状に形成された支持部を、前記伸縮部の前面端部に回動可能な状態で取付け、前記支持部の下部にセンサー取付部を取付け、前記センサー取付部の前面中央に棒材が挿入できる脱着部を設けていることを特徴とするプロジェクター設置装置。
【請求項２】
黒板又はホワイトボードの上部から適宜間隔を空けて、その全長に亘る又は全長より短い距離を横方向に伸びる一対のガイドレールが設置されており、前記プレート取付部の前面に前記取付孔を介して前記壁掛け金具を固定し、配線類は、前記配線孔に通し、前記駆動部を前記ガイドレールに挿入し、前記固定ネジを緩め、前記センサー取付部の下部に前記タッチセンサーを取付け、適切な取付けが行える様、前記伸縮部の伸縮を行い、前記タッチセンサーを前記黒板又はホワイトボードに密着させ、前記固定ネジを締めて固定することを特徴とする請求項１に記載のプロジェクター設置装置。
【請求項３】
前記脱着部に前記棒材を挿入し、前記センサー取付部を手前に持ち上げて、前記黒板又はホワイトボードから前記タッチセンサーを剥離させ、その状態を保ったまま所望の位置までプロジェクター及び前記タッチセンサーを前記ガイドレールに沿って横方向に移動し、前記棒材を使って前記タッチセンサーを前記黒板又はホワイトボードに密着させることを特徴とする請求項１又は請求項２のいずれかの項に記載のプロジェクター設置装置。
【発明の詳細な説明】
【技術分野】
【０００１】
本発明は、壁面等に取付けられたガイドレールに沿ってタッチセンサー及びプロジェクターの移動を可能とするタッチセンサー付属プロジェクター設置装置である。
【背景技術】
【０００２】
昔からプロジェクターを使用した授業が行われており、また、近年では様々な形態で電子黒板が普及し、その一形態として、プロジェクター一体型電子ボードなどプロジェクターを使用した電子黒板が知られている。電子黒板は、授業の効率化、理解力向上には欠かせないものとなっているが、高価であるため、全教室への導入は進んでいなかった。
【０００３】
近年では、電子黒板機能付プロジェクターが登場し、電子黒板機能付プロジェクターを既設の黒板やホワイトボードの上部に壁掛け設置又は天吊り設置を行うことで、既設の黒板やホワイトボードをそのまま使用できる場合があり、コストを抑えて電子黒板を導入できるため、急速に普及している。
【０００４】
電子黒板機能付プロジェクターは、壁掛け設置が主流で、予め決めた一ヶ所を映写面として設置が行われている。設置に必要な壁掛け金具には、画像調整機構が備わっている形態のものが多く、画像の歪みや映写画面サイズの調整を比較的容易に行うことが出来る。
【０００５】
プロジェクターの映写面はスクリーンが一般的であったが、近年では、映写対応黒板又はホワイトボードが普及しており、電子黒板機能付プロジェクターの設置と同時期に、既存の黒板やホワイトボードを映写対応黒板又はホワイトボードに張替える事例が増加している。
【０００６】
電子黒板機能付プロジェクターの多くは、専用の電子ペンで全ての操作と書き込みを行うため、クリックやスクロールなどの単純且つ頻繁に行う操作であっても、チョークやマーカーから電子ペンに持ち替える必要がある。
【０００７】
黒板又はホワイトボードの中央へ映写するプロジェクター設置の場合、教室全体から見やすい位置が映写面となるので、電子黒板を中心とした授業に適した設置方法である。しかし、黒板の全面が映写面にはならず、また、映写中の板書は、画面の左右に限られる問題がある。
【０００８】
そこで、映写と板書を併用できる設置として、黒板又はホワイトボードの左右どちらか片側が映写面となるようにプロジェクターを設置する事例が増加している。プロジェクター使用時は、黒板又はホワイトボードの片側約半分に映写し、残り約半分に板書を行えるため、板書と映写を併用できる設置方法である。しかし、映写面と反対側の席からは視認性が悪くなる問題がある。
【０００９】
特許文献１で提案されているプロジェクター設置方法は、プロジェクターを所望の位置に移動できるため黒板全体を映写面として使用できるので、授業の進捗状況に応じて映写位置を変更できるため、板書と映写の併用が効率よく行える設置方法である。
【００１０】
更に近年では、タッチセンサー付属の電子黒板機能付プロジェクターが提案されており、映写画面上でクリックやスクロールなどの操作を指で行えるため、より直感的な操作が可能となり、スムーズに授業を進めることが出来るため、注目されている。
【００１１】
この場合、プロジェクターは、壁掛け又は天吊りで設置し、プロジェクターと配線で接続されたタッチセンサーは、黒板又はホワイトボードの表面上部に磁石で密着してあり、一ヶ所へ映写され、映写画面上で指操作ができる。
【先行技術文献】
【特許文献】
【００１２】
【特許文献１】特開2014-48306
【発明の概要】
【発明が解決しようとする課題】
【００１３】
タッチセンサーの脱着が容易に行え且つプロジェクター及びタッチセンサーの横移動が可能で所望の位置に移動できるタッチセンサー付プロジェクター設置装置の提供を課題とする。
【００１４】
タッチセンサーは、プロジェクターと配線で接続されており、タッチセンサーは、磁石で黒板又はホワイトボードの表面上部に取付けられており、手の届く位置であるため、故意又は過失によってタッチセンサーの傾きや位置がずれる恐れがある。
【００１５】
黒板の化粧枠は、仕様によって厚みが異なり、また、黒板又はホワイトボードの表面の張替えを行った場合、張替え分の厚みが増加する。また、黒板の取付け方法も、壁面に直接黒板本体を取付ける場合や壁面に捨て枠を取付け、その捨て枠に黒板本体を取付ける場合など様々であるため、壁面から黒板の表面までの距離は教室毎で微妙に異なる。そのため、教室毎に実測を行う必要があるため、手間がかかる。
【００１６】
黒板の中央を映写面とするプロジェクター設置を行った場合、黒板全面が映写画面サイズとはならず、また、映写中の板書は、映写画面の左右に限られるため、板書の効率が悪く、映写と板書の併用が行えない問題がある。
【００１７】
黒板の左右どちらかを映写面とするプロジェクター設置を行った場合、映写画面と反対側の席からの視認性が悪くなり、電子黒板中心で進める授業には適さない問題がある。
【００１８】
プロジェクターを左右に移動できる設置方法でタッチセンサー付プロジェクターを設置した場合、プロジェクターの移動に追従してタッチセンサーも移動する必要があるが、タッチセンサーはプロジェクターと配線で接続され且つ黒板上部に磁石又はビスで取付けられているため、プロジェクターの移動とタッチセンサーの脱着と移動を一人で行うのは困難である。
【課題を解決するための手段】
【００１９】
プレート取付部は、壁掛け金具が取付け可能な大きさ且つ任意の形状で構成され、適宜位置に取付け孔及び略中央に配線孔を穿孔し、前記プレート取付部の背面に複数の駆動部を取付け、前記プレート取付部の下部に、左右側面に前記伸縮孔を設け、Ｃ型に形成された伸縮枠部を取付け、前記伸縮枠部の前方側から内側に沿って伸縮部を挿入し、前記伸縮枠部側から前記伸縮孔を介して固定ネジを取付け、任意の形状に形成された支持部を、前記伸縮部の前面端部に取付け、前記支持部の下部にセンサー取付部を取付け、前記センサー取付部の前面中央に棒材が挿入できる脱着部を設ける。
【００２０】
黒板又はホワイトボードの上部に、その全長又は短く横方向に設置された一対のガイドレールに、複数の前記駆動部を挿入し、タッチセンサーが前記黒板又はホワイトボードと隙間無く取付けられるように前記伸縮部をスライドして調整し、前記タッチセンサーを前記黒板又はホワイトボードの表面に密着させる。移動する場合は、前記脱着部に棒材を挿入し、前記タッチセンサー取付部を手前に持ち上げて前記タッチセンサーを剥離させ、そのまま所望の位置に移動し、移動後前記棒材を使用し、前記黒板又はホワイトボードの表面に前記タッチセンサーを密着させる。
【発明の効果】
【００２１】
プロジェクターの移動と黒板又はホワイトボードに取付けられたタッチセンサーの脱着及び移動を一人で同時に且つ容易に行うことができる。
【００２２】
教室毎の壁面から黒板又はホワイトボードの表面までの距離に差があっても、伸縮機能で微調整が可能であるため、タッチセンサーを黒板又はホワイトボードの表面に密着することが出来る。
【００２３】
タッチセンサー一体型設置装置のため、故意又は過失によるタッチセンサーの傾きのずれを防止できる。
【図面の簡単な説明】
【００２４】
【図１】本発明によるプロジェクター設置装置の施工状態を示す正面図
【図２】本発明によるプロジェクター設置装置の概略正面図
【図３】本発明によるプロジェクター設置装置の概略側面図
【図４】本発明によるプロジェクター設置装置の使用例を示す概略側面図
【図５】本発明によるプロジェクター設置装置の取外し例を示す概略側面図
【図６】プロジェクター設置装置の他の構成例を示す概略側面図
【発明を実施するための形態】
【００２５】
図４及び図５で示す図は、捨て枠１８に黒板又はホワイトボード１７が取付けられている場合を設置例とする。
【００２６】
前記黒板又はホワイトボード１７の上部から適宜間隔を空けて、その全長に亘る又は全長より短い距離を横方向に伸びる一対のガイドレール１６が既知の技術により設置されているとする。
【００２７】
プレート取付部１は、使用する壁掛け金具１４が取付け可能な大きさで、略矩形の板状資材又は棒状資材を適宜形状に湾曲又は組み合わせにより任意の形状で形成され、前記プレート取付部１の前記壁掛け金具１４に予め穿孔してあるビス孔に対応する位置に取付孔２を穿孔し、前記プレート取付部１の略中央に配線孔３を穿孔し、前記プレート取付部１の背面に、前記ガイドレール１６に対応する位置に複数の駆動部４を取付ける。
【００２８】
伸縮枠部５は、教室毎の壁面から前記黒板又はホワイトボード１７の表面までの距離の実測値に対応出来る長さとし、略矩形の板状資材の左右両端を下方向に湾曲し、湾曲部分の端部を更に内側に湾曲させＣ型に形成し、左右側面に前後方向に沿って伸びる伸縮孔６が設けられており、前記プレート取付部１の下部に接合されている。
【００２９】
伸縮部７は、前記伸縮枠部５に対して前後方向にスライド可能となるように前記伸縮枠部５より僅かに小さく、教室毎の壁面から前記黒板又はホワイトボード１７の表面までの距離の実測値に対応出来る長さで、前記伸縮枠部５の前方側から内側に沿って挿入されており、前記伸縮枠部５側から前記伸縮孔６を介して固定ネジ８を取付けている。前記伸縮枠部５に固定することができる。また、前記固定ネジ８を緩めることで、前記伸縮部７がスライド可能となるので、伸縮距離の調整が可能となる。
【００３０】
支持部９は、略矩形の板状資材又は棒状資材を適宜形状に湾曲又は組み合わせにより任意の形状に形成され、左右側面に適宜間隔を空けて複数のネジ孔１０を穿孔し、前記伸縮部７の前面端部に、取付け高さに応じた位置の前記ネジ孔１０を介して、回動可能な状態で取付けられている。
【００３１】
センサー取付部１１は、前記支持部９に取付けた時、前記支持部９の前面との間に隙間が出来る奥行き長さ且つ前記センサー取付部１１の下部にタッチセンサー１５が取付け可能となるように板状資材又は棒状資材を適宜湾曲又は組み合わせにより略Ｌ型に形成し、前記センサー取付部１１の前面中央に棒材２０が挿入できる脱着部１２を設け、前記支持部９の下部に回動可能な状態で取付けられている。
【００３２】
前記プレート取付部１の前面に前記壁掛け金具１４に設けられている前記ビス孔から前記取付孔２を介してボルト、ナット等で前記壁掛け金具１４を固定する。プロジェクター１３に接続されている配線類は、前記配線孔３に通し、既知の手法で配線処理を行うと良い。前記駆動部４を前記ガイドレール１６に挿入することで、前記ガイドレール１６に沿って横方向に移動が可能となる。
【００３３】
前記センサー取付部１１の下部に前記タッチセンサー１５を取付け、前記固定ネジ８を緩め、前記タッチセンサー１５が前記黒板又はホワイトボード１７と密着する位置まで伸縮を行い、前記タッチセンサー１５の磁石で前記黒板又はホワイトボード１７に密着させ、前記固定ネジ８を締めて固定する。
【００３４】
前記プロジェクター１３を移動する場合は、前記脱着部１２に前記棒材２０を挿入し、前記センサー取付部１１を手前に持ち上げることで、容易に前記タッチセンサー１５を前記黒板又はホワイトボード１７から容易に剥離することができる。その状態を保ったまま任意の位置まで移動し、前記棒材２０を使って前記タッチセンサー１５を前記黒板又はホワイトボード１７の表面に密着させる。
【００３５】
前記タッチセンサー１５の脱着の際は、前記支持部９と前記センサー取付部１１の一部が接触するため、前記タッチセンサー取付部１１の接触面に、ゴム材などを貼ると良い。
【００３６】
映写対応以外の前記黒板又はホワイトボード１７への映写は、色が不鮮明となり、ハレーション現象によって映像が見え辛いため、前記黒板又はホワイトボード１７の任意の位置にスクリーンシートを貼り付けると良い。
【００３７】
映写対応でない前記黒板又はホワイトボード１７は、前記プロジェクター１３の設置と同時に映写対応の表面材への貼り替えを行う事例が多いが、前記伸縮枠部５及び前記伸縮部６を張替えに対応出来る長さにしておくことで、迅速な設置を行うことが出来る。
【００３８】
前記黒板又はホワイトボード１７より、前記ガイドレール１６が出ている場合、前記伸縮枠部５の後方側から前記伸縮部７を挿入し、図６で示す前記支持部９及び前記センサー取付部１１及び前記脱着部１２の構成とすると良い。
【００３９】
前記ネジ孔１０の変わりに回転軸などを用いて、前記支持部９が回動可能な状態で接続しても良い。
【００４０】
前記ガイドレール１６は、前記黒板又はホワイトボード１７の上部又は表面に直接取付けたり、昇降式黒板に使用される昇降装置に取付けても良く、設置環境に応じて、一本又は複数本でも良い。前記駆動部４の取付け位置もそれに応じた位置にすると良い。
【符号の説明】
【００４１】
１      プレート取付部
２      取付孔
３      配線孔
４      駆動部
５      伸縮枠部
６      伸縮孔
７      伸縮部
８      固定ネジ
９      支持部
１０    ネジ孔
１１    センサー取付部
１２    脱着部
１３    プロジェクター
１４    壁掛け金具
１５    タッチセンサー
１６    ガイドレール
１７    黒板又はホワイトボード
１８    捨て枠
１９    壁面
２０    棒材
２１    補強材
【図１】
2016218158.tif 000003
【図２】
2016218158.tif 000004
【図３】
2016218158.tif 000005
【図４】
2016218158.tif 000006
【図５】
2016218158.tif 000007
【図６】
2016218158.tif 000008